(57)【要約】      （修正有）【課題】既設の双口スピンドルを省スペースのセット状況で要領よく行い、作業時間を短縮するとともに、クリーンな状況を保持し、止水時間も少なく、経費も低廉なもので済むという双口スピンドルの引き抜き工法を提供する。【解決手段】上水道管側のフランジ１a,４aに抜け防止部材５を装着し、双口スピンドル１の中心部分を押圧し、作業用バルブの上方に短管と挿入変換フランジ１６を抜け防止手段で一体化したセットを待機させ、圧引具を双口スピンドル１の中心部分上部に連結し、前記セットを下し、注水及び圧検を行ない、前記セットを再度上げ、前記セットを下し取り付け、上抜け防止部材をずらし、双口スピンドル１を引き上げ、前記セットの短管から上を撤去し、止水プラグを止水位置まで送り込み固定し、止水し、この装置一式、作業用バルブを上昇させ、止水プラグを短管内まで引き上げ、最終的に新規空気弁を設置する。【選択図】図６
2014126155.tif 000002
【特許請求の範囲】
【請求項１】
上水道管にフランジ接合されている双口スピンドルの引き抜き工法であって、まず、上水道管側のフランジに抜け防止部材を装着し、双口スピンドルの中心部分を押圧し、ボルト変換し、双口スピンドルの上部フランジをカットしてベルトで左右上部フランジを締付け、ベースフランジを中心部分上面に締付けし、その後、作業用バルブの上方に短管と挿入変換フランジを抜け防止手段で一体化したセットを前記ベースフランジ直上に吊持待機させ、圧引具を双口スピンドルの中心部分上部に連結し、前記セットを下し、注水及び圧検を行ない、前記セットを再度上げ、双口スピンドルの取付ボルトを取り外し、前記セットを下し取り付け、上下の抜け防止部材にレバーブロックを掛け張り、上抜け防止部材をずらし、前記レバーブロックを操作して双口スピンドルを引き上げ、前記セットの短管から上を撤去し、前記作業用バルブ上に穿孔機を取り付け、その穿孔機に清掃カッターを取り付け、補修弁弁体のカットとフランジ首部の内部洗浄をし、次いで、止水プラグを止水位置まで送り込み固定し、止水し、この装置一式、作業用バルブを上昇させ、抜け防止アームの下段とスペーサを取り付け後、抜け防止アーム上段を取り外し、装置一式と作業用バルブを撤去し、短管と新規補修弁を組み付けて挿入し、抜け防止アーム下段を外し、止水プラグを短管内まで引き上げ、新規補修弁を閉め、止水プラグと短管を外し、最終的に新規空気弁を設置することを特徴とする双口スピンドルの引き抜き工法。
【請求項２】
前記した双口スピンドルの中心部分の押圧は抜け防止部材の側面の支持部と押圧部材の固定部材の側面支持部間に締着ボルトを挿通装着することを特徴とする請求項１に記載の双口スピンドルの引き抜き工法。
【請求項３】
前記したベースフランジは下方フランジを双口スピンドルの左右の上部フランジ上にボルトにより固着することを特徴とする請求項１に記載の双口スピンドルの引き抜き工法。
【請求項４】
前記した作業用バルブの上方における短管は異なる二種のものが連結されていることを特徴とする請求項１に記載の双口スピンドルの引き抜き工法。
【請求項５】
前記した作業用バルブ上方の抜け防止部材と、双口スピンドル下方の抜け防止部材間には位置決め支持とガイド用のボルトが設けられることを特徴とする請求項１または４に記載の双口スピンドルの引き抜き工法。
【発明の詳細な説明】
【技術分野】
【０００１】
本発明は双口スピンドルの引き抜き工法に関し、特に上水道管、Ｔ字管に対してフランジ接合されている双口スピンドル（双口空気弁）を引き抜き、新規な空気弁と交換するための工法に関する。
【背景技術】
【０００２】
従来、上記した目的のために行われる工法は、既設の双口スピンドルの周域を櫓で囲い、包み込んで作業がなされるもので、作業に時間と労力を要し、また、上水道管の止水時間も長時間に亘ってしまうため、環境にも悪影響を及ぼしてしまうものとなっており、要する経費も高額なものとなってしまう。
【先行技術文献】
【特許文献】
【０００３】
出願人は、本願発明について、先行する技術文献を調査したが、格別に本願発明と関連し、類似していると思われる文献は発見できなかった。
【発明の概要】
【発明が解決しようとする課題】
【０００４】
本願発明が解決しようとする問題点は、従来、既設の双口スピンドルを省スペースのセット状況で要領よく行い、作業時間を短縮するとともに、クリーンな状況を保持し、止水時間も少なく、経費も低廉なもので済むという双口スピンドルの引き抜き工法が存在していなかったという点である。
【課題を解決するための手段】
【０００５】
上記した目的を達成するために、本発明に係る双口スピンドルの引き抜き工法は、上水道管にフランジ接合されている双口スピンドルの引き抜き工法であって、まず、上水道管側のフランジに抜け防止部材を装着し、双口スピンドルの中心部分を押圧し、ボルト変換し、双口スピンドルの上部フランジをカットしてベルトで左右上部フランジを締付け、ベースフランジを中心部分上面に締付けし、その後、作業用バルブの上方に短管と挿入変換フランジを抜け防止手段で一体化したセットを前記ベースフランジ直上に吊持待機させ、圧引具を双口スピンドルの中心部分上部に連結し、前記セットを下し、注水及び圧検を行ない、前記セットを再度上げ、双口スピンドルの取付ボルトを取り外し、前記セットを下し取り付け、上下の抜け防止部材にレバーブロック（登録商標）を掛け張り、上抜け防止部材をずらし、前記レバーブロックを操作して双口スピンドルを引き上げ、前記セットの短管から上を撤去し、前記作業用バルブ上に穿孔機を取り付け、その穿孔機に清掃カッターを取り付け、補修弁弁体のカットとフランジ首部の内部洗浄をし、次いで、止水プラグを止水位置まで送り込み固定し、止水し、この装置一式、作業用バルブを上昇させ、抜け防止アームの下段とスペーサを取り付け後、抜け防止アーム上段を取り外し、装置一式と作業用バルブを撤去し、短管と新規補修弁を組み付けて挿入し、抜け防止アーム下段を外し、止水プラグを短管内まで引き上げ、新規補修弁を閉め、止水プラグと短管を外し、最終的に新規空気弁を設置することを特徴としている。
【０００６】
また、本発明に係る双口スピンドルの引き抜き工法は、前記した双口スピンドルの中心部分の押圧は抜け防止部材の側面の支持部と押圧部材の固定部材の側面支持部間に締着ボルトを挿通装着することを特徴とし、前記したベースフランジは下方フランジを双口スピンドルの左右の上部フランジ上にボルトにより固着することを特徴とし、前記した作業用バルブの上方における短管は異なる二種のものが連結されていることを特徴とし、前記した作業用バルブ上方の抜け防止部材と、双口スピンドル下方の抜け防止部材間には位置決め支持とガイド用のボルトが設けられることを特徴としている。
【発明の効果】
【０００７】
本発明に係る双口スピンドルの引き抜き工法は、上記のように構成されている。そのため、作業にともなうセットカバーリングは双口スピンドルのセンター部分のみで済み、工事のために広いスペースを不要とし、確実な作業が行なえる。加えて、周囲環境に悪影響を与えず、クリーンな状況で作業が行なえ、作業も短時間で済み、止水時間も短く、経費も低廉なものとなる。
【図面の簡単な説明】
【０００８】
【図１】対象となる双口スピンドルの正面図である。
【図２】フランジに抜け防止部材を装着し、中心部分を押圧した状態を示す図である。
【図３】上部フランジをカットする前の状態を示す図である。
【図４】ラッシングベルトを装着し、ベースフランジを締付した状態を示す図である。
【図５】作業用バルブを含むセットと、圧引具を上部に連結した状態を示す図である。
【図６】双口スピンドルの撤去引き抜き状態を示す図である。
【図７】穿孔機に清掃カッターを取り付けた図である。
【図８】止水プラグを装着した図である。
【図９】セット一式、作業用バルブを上昇させ、スペーサを取り付けた図である。
【図１０】短管と新規補修弁を示す図である。
【図１１】止水プラグと短管を取り外す図である。
【図１２】新規空気弁の設置状態を示す図である。
【発明を実施するための形態】
【０００９】
図面として示し、実施例で説明したように構成したことで実現した。
【実施例１】
【００１０】
次に、本発明の好ましい実施の一例を図面を参照して説明する。図にあって１は双口スピンドルを示している。この双口スピンドル１は上水道管のＴ字管部分に下端を接続して設置されているもので、その接続管２の上面フランジ２ａと本体の下面フランジ１ａとは取付ボルト３、３‥によって締結連結されている。双口スピンドル１は左右に空気で上下するボールを収納する収納部を設け、中心部分には上水道管内の空気を外部へ排出もしくは吸入するための空気弁が備えられている。各ボール収納部と空気弁対応部分には各々上部フランジ４、４ａ、４ａが設けられている。
【００１１】
この双口スピンドル１を引き抜く作業として、まず、第一には、前記した上面フランジ２ａ及び下面フランジ１ａの清掃をして浄化し、取付ボルト３、３‥を一本づつ交換し、抜け防止部材５を上面フランジ２ａの周囲に、側方からネジ５ａ、５ａで固定し取り付ける。この抜け防止部材５の外周にはガイドボルト６、６、挿通部６ａ、６ａが設けられており、ガイドボルト６、６の下端部分が螺合固定される。
【００１２】
また、上方へ延設されたガイドボルト６、６の一部には抜け止め支持部材７が螺合固定され、その抜け止め支持部材７の中央で双口スピンドル１の中央部分、すなわち、空気弁対応部分の上部を押圧部材８によって押圧圧縮し、既設の上部フランジ４、４ａ、４ａの締着ボルト９、９‥及び９ａ、９ａを一本づつ交換する。
【００１３】
ここで、上部フランジ４、４ａ、４ａをカットして、左右の上部フランジ４ａ、４ａにラッシングベルト１０を上下方向に掛け回して締付ける。また、中央の上部フランジ４にはベースフランジ１１を被せ締付け、そのベースフランジ１１の下方フランジをキャップボルト１２、１２‥によって左右の上部フランジ４ａ、４ａに固着する。
【００１４】
次いで、作業用バルブ（適合サイズ）１３と第一の短管（適合長）１４、第二の短管（適合長）１５、挿入変換フランジ（適合サイズ）１６及びシャフト１７、圧引具１８及び抜け防止部材上段１９を複数のガイド支持ボルト２０、２０によって組み付けて装置セットを作製し、この装置セットを簡易クレーンで吊持してベースフランジ１１上に待機させ、圧引具１８を双口スピンドル１の中央上部に連結する。
【００１５】
続いて、上記した装置セットを下降させ、注水及び圧検を行ない、抜け防止部材１９の止着ネジをセットし、適正トルクにて上ナットを締付け、シャフトブレーキを締付けする。ここで装置セットを再度上昇させ、双口スピンドルフランジ取付ボルトを取り外し、装置セットを下降させて取り付けを行なう。
【００１６】
抜け防止部材上段１９と抜け防止部材５にレバーブロックを掛け張り、抜け防止部材上段１９のネジ、ナットを緩めて、抜け防止部材上段１９をずらせる。レバーブロックを操作して、徐々に双口スピンドル１を引き上げ、短管１５上部まで完全に納め、作業用バルブ１３を閉める。この引き上げ作業中は、常に排水を行ない、濁りを防止する。短管１４から上部を撤去し、スピンドルの引き抜きを完了する。
【００１７】
上記双口スピンドル１の引き抜き撤去が完了したら、通常管に穿孔するための穿孔機２１を用意し、その作動軸の先端に清掃カッター２２を取り付け、その清掃カッター２２によって補修弁弁体のカットと、フランジ首部の内部洗浄を行なう。この清掃作業中は常に排水を行ない、内部に塵埃や屑が残ることがないようにする。
【００１８】
前記した清掃カッター２２による清掃作業が済んだら、短管１５、短管１４及び作業用バルブ１３を貫通させて、上水道管の通水を止めるための止水プラグ２３を止水位置まで送り込み、拡開させて上水道管の管内壁と当圧接させ止水を行なう。尚、この止水プラグ２３の詳細は特願２０１１−１４１６２４号に開示している。この止水の確認はエアー抜きで行う。次いで、抜け防止部材上段１９を有効に作用させる。
【００１９】
次いで、装置セットの一式と作業用バルブ１３を上昇させ、双口スピンドル１の下方に抜け防止部材下段２４及びスペーサ２５を取り付ける。この取り付けが終了すると、抜け防止部材上段１９を取り外し、装置セットの一式と作業用バルブ１３を撤去する。
【００２０】
前記した撤去作業が終了したら、止水プラグ２３のシャフトに抜け防止部材下段２４及びガイド支持ボルト２０、２０を介して新規短管２７と新規補修弁２６を組み付け、挿入する。ここで、ガイド支持ボルト２０、２０に抜け防止部材上段１９を再び取り付け、抜け防止部材下段２４を取り外す。
【００２１】
この後、止水プラグ２３を解除して上水道管内の通水を再開する。次いで止水プラグ２３を新規短管２７内まで引き上げ、その下方に位置する新規補修弁を閉め、止水プラグ２３と新規短管２７を取り外す。
【００２２】
最終的には、止水プラグ２３と新規短管２７を取り外して後、新規補修弁２６上に新規空気弁２８をボルトを用いてフランジ接合し、動作を確認して作業は完了となる。
【符号の説明】
【００２３】
１    双口スピンドル
１ａ  下面フランジ
２    接続管
２ａ  上面フランジ
３    取付ボルト
４，４ａ  上部フランジ
５    抜け防止部材
６    ガイドボルト
６ａ  挿通部
７    抜け止め支持部材
８    押圧部材
９，９ａ  締着ボルト
１０  ラッシングベルト
１１  ベースフランジ
１２  キャップボルト
１３  作業用バルブ
１４  第一の短管
１５  第二の短管
１６  挿入変換フランジ
１７  シャフト
１８  圧引具
１９  抜け防止部材上段
２０  ガイド支持ボルト
２１  穿孔機
２２  清掃カッター
２３  止水プラグ
２４  抜け防止部材下段
２５  スペーサ
２６  新規補修弁
２７  新規短管
２８  新規空気弁
【図１】
2014126155.tif 000003
【図２】
2014126155.tif 000004
【図３】
2014126155.tif 000005
【図４】
2014126155.tif 000006
【図５】
2014126155.tif 000007
【図６】
2014126155.tif 000008
【図７】
2014126155.tif 000009
【図８】
2014126155.tif 000010
【図９】
2014126155.tif 000011
【図１０】
2014126155.tif 000012
【図１１】
2014126155.tif 000013
【図１２】
2014126155.tif 000014